(57)【特許請求の範囲】
【請求項１】
化粧料用の組成物が充填される容器本体及びこれにヒンジ連結される蓋であって該容器本体にかん合されるかん合構造を有する蓋を備えた化粧料用の容器の評価法であって、
前記蓋を開けるとき又は閉めるときに採取した音が、下記１）〜３）の条件をいくつ満足するかを指標として前記容器がどの程度好ましい聴覚刺激を有しているかを評価することを特徴とする評価法。
１）前記採取した音を高速フーリエ変換して周波数分布に表した場合において、該周波数分布の中心部が３５００Hz以下の帯域に分布している。
２）前記採取した音を高速フーリエ変換して周波数分布に表した場合において、該周波数分布におけるピークがマルチプルピーク型である。
３）前記採取した音を波形解析した場合に、本振動前の位置に存在する波の振幅がベースラインの揺らぎの平均振幅の３倍よりも小さい。
【請求項２】
前記蓋を開けるとき又は閉めるときに採取した音が、より多くの前記条件を満足する場合ほど、評価対象となる容器がより好ましい聴覚刺激を有していると評価することを特徴とする請求項１に記載の評価法。
【発明の詳細な説明】
【０００１】
【発明の属する技術分野】
本発明は、化粧料用の容器の評価法に関する。
【０００２】
【従来の技術】
化粧料は、ブランドや化粧料自体への信頼感など、使用者のメンタル的な要因も含めて、その内容物である化粧料組成物の薬学的特性、物理化学的特性、容器の外観とそれによって創り出されるイメージ、使用実感、見た目の化粧実感など、多面的な因子の組合わさった効果によって、その化粧映えの美しさや、使用者をより美しく演出する等の効果を発揮することが知られている。この様な例としては、同じ化粧料組成物であっても、それを充填する容器が異なることにより、化粧料としての効果が異なってくることが挙げられる。この為、化粧料においては、容器のデザインなどには種々の創意工夫が施されている。又、化粧料組成物の物理化学的特性にも、より大きな心理的な効果が得られるような設計が為されている。いわば、化粧料とは、その化粧料という媒体を通じて、五感、感性を刺激し、美という生物学的な効果をその使用者にもたらすものであるといえる。
【０００３】
この様な化粧料がもたらす五感への刺激の内、香りとしての嗅覚的刺激、容器の見た目の形状や組成物の色としての視覚的刺激、容器の手触り、内容物を塗布するときの使用感としての触覚的刺激は検討が多く為されているが、味覚的刺激と聴覚的刺激については、化粧料の設計上何も為されていないのが現状であると言わざるを得ない。この様な感覚を使用者にとって好ましく刺激する化粧料の開発は望まれているものの、どの様な刺激が好ましい刺激であるか全く知られていないため、具現化されていない。
【０００４】
従って、かん合構造を有する蓋を装備した化粧料用の容器であって、蓋を開けるとき及び／又は閉めるときの音において、次に挙げる３条件を満足することを特徴とする、化粧料用の容器が、この様な好ましい聴覚的刺激を有することも全く知られていない。加えて、この様な視点で化粧料或いは化粧料容器を評価することにより、より好ましい効果を有する化粧料が得られることも全く知られていない。
１）周波数の分布が低い帯域に分布している。
２）周波数の分布におけるピークが連峰型である。
３）波形解析で本振動前の波が小さい。
【０００５】
【発明が解決しようとする課題】
本発明は、この様な状況下為されたものであり、好ましい聴覚的刺激を有する化粧料容器を提供し、以て、化粧料の総合的な効果を向上させる手段を提供することを課題とする。
【０００６】
【課題の解決手段】
本発明者らは、この様な状況に鑑みて、好ましい聴覚的刺激を有する化粧料容器を求め、鋭意研究努力を重ねた結果、次に挙げる３条件を満足することを特徴とする、化粧料用の容器が、この様な好ましい聴覚的刺激を有することを見出し発明を完成させるに至った。その３条件とは、１）「周波数の分布が低い帯域に分布している。」２）「周波数の分布におけるピークが連峰型である。」３）「波形解析で本振動前の波が小さい。」の３つである。即ち、本発明は化粧料用の組成物が充填される容器本体及びこれにヒンジ連結される蓋であって該容器本体にかん合されるかん合構造を有する蓋を備えた化粧料用の容器の評価法であって、前記蓋を開けるとき又は閉めるときに採取した音が、下記１）〜３）の条件をいくつ満足するかを指標として前記容器がどの程度好ましい聴覚刺激を有しているかを評価することを特徴とする評価法である。１）前記採取した音を高速フーリエ変換して周波数分布に表した場合において、該周波数分布の中心部が３５００Hz以下の帯域に分布している。２）前記採取した音を高速フーリエ変換して周波数分布に表した場合において、該周波数分布におけるピークがマルチプルピーク型である。３）前記採取した音を波形解析した場合に、本振動前の位置に存在する波の振幅がベースラインの揺らぎの平均振幅の３倍よりも小さい。
また、前記蓋を開けるとき又は閉めるときに採取した音が、より多くの前記条件を満足する場合ほど、評価対象となる容器がより好ましい聴覚刺激を有していると評価しても良い。
【０００７】
【発明の実施の形態】
（１）本発明の化粧料の特徴である聴覚的刺激と本発明の化粧料用の容器
本発明の化粧料は、聴覚的刺激として、容器における、かん合構造を有する蓋をあけるとき及び／又は閉めるときにでる音がコントロールされていることを特徴とする。ここに言うコントロールとは、次に示す３つのポイントについてのコントロールである。その３つのポイントとは、１）「周波数の分布が低い帯域に分布している。」２）「周波数の分布におけるピークが連峰型である。」３）「波形解析で本振動前の波が小さい。」の３点である。ここで、「周波数の分布が低い帯域に分布している。」とは後記実施例に示す如く、容器における、かん合構造を有する蓋をあけるとき及び／又は閉めるときにでる音を採取して、高速フーリエ変換し、周波数分布に表した場合において、周波数分布の中心部（ピークの内最も高いものの存在周波数又は分布のピークの９０％が収まる範囲の中心部の周波数の内の高い方）が３５００Hz以下、更に好ましくは、３０００Hz以下にあることを意味し、「周波数の分布が高い帯域に分布している。」とは、前記周波数分布の中心部が３０００Hzより大きい位置、更に好ましくは３５００Hzより大きい位置に位置していることを意味する。又、「周波数の分布におけるピークが連峰型である。」とは、一般的な音のピークの出方は、マルチプルピーク型とシングルピーク型の２種類存在すると言われているが、前記の如く、かん合構造を有する蓋をあけるとき及び／又は閉めるときにでる音を採取して、高速フーリエ変換し、周波数分布に表した場合において、マルチプルピーク型を取ることを意味する。具体的には、前記高速フーリエ変換を行って周波数分布に表した場合、最大ピーク高さの５０％の位置で水平に線を引いた場合に於いて、この線と交わるピークが少なくとも４本存在するか、最大ピークのピーク面積が全ピーク面積の５０％以下であることを意味する。これにあたらない場合がシングルピーク型、本発明で言う単一峰型ピークであるといえる。更に加えて、「波形解析で本振動前の波が小さい。」とは波形解析において、最大振幅の前にベースラインから識別できる振幅の波が本振動前の位置に存在しないことを意味する。ベースラインから識別できるとは、ベースラインの揺らぎの平均振幅の３倍以上の振幅の波或いは存在する波の最大振幅の２％以上の振幅の波が、本振動の前の位置に存在することを意味する。これらの３つの要素は化粧料の効果の向上に好ましい、かん合構造を有する蓋をあけるとき及び／又は閉めるときにでる音を形成する為の独立した３つの要因であり、これらの３つの条件を全て満たした音の状況が、化粧料の効果を最も高める聴覚的な刺激であるといえる。これら３つの条件を１つ満足するものは、全て満たさないものよりも好ましい聴覚的刺激を有し、２つ満たすものは唯一種満たすものよりも好ましい聴覚的刺激を提供するものである。この様な好ましい聴覚的刺激が蓋を開けるときに存在することにより、気持ちがポジティブになり、化粧動作が安定し、化粧乗りや化粧映えが向上し、化粧持ちが向上する効果を創出するし、蓋を閉じたときにこの様な聴覚的な刺激が存在することにより、次の行動への積極性の喚起がなされ、次なる行動の効率や正確性の向上をも誘起する。この様な効果は、化粧料そのものが持っている、気持���をポジティブにする作用を更に高めることができ、人間行動をも改善させることができる。この様な効果が、特に期待できるのは、ファンデーションなどのメークアップ化粧料である。これは、化粧仕上がりや化粧映えなどのメークアップの出来が、メークアップを行う人間の心理的なバックグラウンドの影響を受けやすい為である。従って、本発明のかかる技術は、メークアップ化粧料に適用されることが特に好ましい。本発明の化粧料用の容器は、この様な好ましい聴覚的刺激を有するものである。この様な好ましい聴覚的な刺激を有する容器を設計するためには、次のような点に留意して設計を行えばよい。即ち、１）容器の横幅をできうる限り長くすること。２）容器のかん合部の蓋の構成が、上、下それぞれ一つの部品のみで構成されるのではなく、二つ以上の部品で構成されていること。３）フック部の形状と材質の組み合わせにおいて、過剰な摩擦が生じないこと。の３点である。これらの指針を元に音の特性を試行錯誤して調整することにより本発明の化粧料用の容器は製造できる。
【０００８】
（２）本発明の化粧料
本発明の化粧料は、上記本発明の化粧料用の容器に、化粧料用の組成物を充填してなることを特徴とする。化粧料用の組成物としては、化粧料用の任意成分を常法により処理して得られるものであり、かかる化粧料用の任意成分としては、例えば、スクワランや流動パラフィン、固形パラフィンなどの炭化水素類、ジメチコンやフェメチコンなどのシリコーン類、ホホバ油やゲイロウなどのエステル類、ステアリン酸やオレイン酸などの脂肪酸類、ベヘニルアルコールやセタノール、オレイルアルコールなどの高級アルコール類、牛脂やオリーブオイル等のトリグリセライド類、ステアリン酸モノグリセリド、ソルビタンセスキオレート、ポリオキシエチレンソルビタンモノオレート、ポリオキシエチレンステアレート等の非イオン界面活性剤、ソジウムラウリルステアレートなどのアニオン界面活性剤、４級アルキルアンモニウム塩等のカチオン界面活性剤類、１，３−ブタンジオール、イソプレングリコール、１，２−ペンタンジオールなどのグリセリンやポリエチレングリコール以外の多価アルコール類、結晶セルロースや架橋型メチルポリシロキサン等の粉体類、キサンタンガムやヒドロキシプロピルセルロースなどの増粘剤、ハイドロジェンメチルポリシロキサンやメチルポリシロキサン焼き付けなどの表面処理されていても良い、二酸化チタン、酸化亜鉛、酸化鉄、群青、紺青、チタンマイカ、マイカ、セリサイト、チタンセリサイト、カオリン、タルクなどの粉体類、ビタミンやグリチルリチンなどの有効成分などが好ましく例示できる。本発明の化粧料の形態で特に好ましいものは、前述の如く、メークアップ化粧料であり、更に好ましくはファンデーションであり、ファンデーションの中でも、パウダーファンデーション、プレストパウダー、モイストファンデーションなどの粉体成形タイプのファンデーションが特に好ましく例示できる。
【０００９】
（３）本発明の化粧料用の容器の評価法
本発明の、化粧料用の容器の評価法は、化粧料として好ましい聴覚刺激を有した化粧料用の容器であるか否かを評価するものであり、その評価原理は、上記化粧料に好ましい聴覚刺激の特性を利用するものである。即ち、１）「周波数の分布がどの程度低い帯域に分布している。」２）「周波数の分布におけるピークが連峰型である程度。」３）「波形解析で本振動前の波がどの程度小さいか。」の３点を指標として評価するものである。この様な評価によって化粧料としてどの程度好ましい聴覚刺激を有する容器かを鑑別できる。
【００１０】
【実施例】
以下に、実施例を挙げて、本発明について更に詳細に説明を加えるが、本発明が、かかる実施例にのみ限定されないことは言うまでもない。
【００１１】
＜実施例１＞
容器の材質と形状を変えて、かん合部を有する蓋を装備した２２種のパウダーファンデーション用の容器を試作した。これらの容器の開け閉めの音を録音し、波形を調べ、更に波形を高速フーリエ変換し周波数分析を行った。フーリエ変換（FFT）に際しては、ハニング窓関数を用い、直流成分を除去し、１５KHz以下のローパスフィルターをかけた。又、別途、これらの音について女性パネラー２８名（３９〜５３歳、平均４６．３歳）を用いて、好ましさを評定した。好ましさは、「音の上質感がどの程度感じられるか」（５段階評価；スコア５：上質感が感じられた、スコア４：やや上質感が感じられた、スコア３：どちらでもない、スコア２：あまり上質感が感じられなかった、スコア１：上質感が感じられなかった）という設問で評価してもらった。それぞれの容器について、平均スコアを求めたところ、最高スコアのものは図１に示す構造の容器（容器１）であり、平均スコアは４．２であった。このものの波形とFFT解析結果を図２、３に示す。この波形乃至はFFT解析結果と似た特性を有しながら、このものよりスコアの低かった容器（３種、容器２〜４）を抽出し、波形或いはFFTの特性の何処に違いがあるのかを比較検討した。これら３種の容器の波形とFFTの結果を図４〜９に示す。ここにおいて、容器２は容器１に比して周波数の分布が高い帯域に分布していることが、容器３は容器１に比較して、周波数の分布におけるピークが連峰型ではなく、単一峰型であることが、容器４は容器１に比して波形において、本振動の前に小さな前振動が存在することがわかる。このことは、言い換えれば、開け閉めの音の特性として、１）「周波数の分布が低い帯域に分布している。」２）「周波数の分布におけるピークが連峰型である。」３）「波形解析で本振動前の波が小さい。」の３点の特徴を有していることが、化粧料の容器として好ましい容器であることがわかる。
【００１２】
＜実施例２＞
上記実施例１の容器１〜４と実施例１の検討で用いた２２種の容器の内、１）「周波数の分布が低い帯域に分布している。」２）「周波数の分布におけるピークが連峰型である。」３）「波形解析で本振動前の波が小さい。」の３点を全てを満たさない容器（容器５；開閉時の音の特性は図１０、１１に示す。）の５つの容器に下記に示すパウダーファンデーションを成形、充填し、化粧料１〜５を作成した。この５種の化粧料を２０名のパネラーに１ヶ月間かけて、交互の比較使用による評価を行ってもらった。評価は、化粧映え、化粧持ち、総合評価の３項目で、スコア５：良い、スコア４：やや良い、スコア３：普通、スコア２：やや悪い、スコア１：悪いの５段階で評価してもらった。結果を表１に平均スコアとして示す。これより、音の好ましさに従って、化粧料の評点が高いことが明白であり、この様な開閉時の音が化粧料の重要な要素であることもわかる。
（ファンデーション）
シリコーン処理セリサイト                    ３０    重量部
シリカ                                      １０    重量部
シリコーン処理マイカ                        ２０    重量部
シリコーン処理タルク                        １０    重量部
シリコーン処理チタンセリサイト              ２０    重量部
金属石けん処理鉄ドープ二酸化チタン            ３    重量部
シリコーン処理酸化鉄                          ６    重量部
シリコーン処理群青                            １    重量部
ジメチコン                                    ５    重量部
オレイン酸オクチルドデシル                    ５    重量部
【００１３】
【表１】
0004746763.tif 000002
【００１４】
【発明の効果】
本発明によれば、好ましい聴覚的刺激を有する化粧料容器を提供し、以て、化粧料の総合的な効果を向上させる手段を提供することができる。
【図面の簡単な説明】
【図１】  実施例１の容器１の形状を示す図面である。
【図２】  実施例１の容器１の音の特性値（波形）を示す図である。
【図３】  実施例１の容器１の音の特性値（周波数分布）を示す図である。
【図４】  実施例１の容器２の音の特性値（波形）を示す図である。
【図５】  実施例１の容器２の音の特性値（周波数）を示す図である。
【図６】  実施例１の容器３の音の特性値（波形）を示す図である。
【図７】  実施例１の容器３の音の特性値（周波数）を示す図である。
【図８】  実施例１の容器４の音の特性値（波形）を示す図である。
【図９】  実施例１の容器４の音の特性値（周波数）を示す図である。
【図１０】  実施例２の容器５の音の特性値（波形）をを示す図である。
【図１１】  実施例２の容器５の音の特性値（周波数）をを示す図である。
【図１】
0004746763.tif 000003
【図２】
0004746763.tif 000004
【図３】
0004746763.tif 000005
【図４】
0004746763.tif 000006
【図５】
0004746763.tif 000007
【図６】
0004746763.tif 000008
【図７】
0004746763.tif 000009
【図８】
0004746763.tif 000010
【図９】
0004746763.tif 000011
【図１０】
0004746763.tif 000012
【図１１】
0004746763.tif 000013